(57)【要約】【課題】障子を確実に引き寄せることができ、障子における気密性を安定的に確保できるクレセントを提供する。【解決手段】障子１、２を設けてなるサッシの障子１に設けられ、受金具４に対して係脱し障子１、２を施錠状態とするものであって、障子１の外周面に固定される本体部２０と、本体部２０に対して回動自在に取付けられる操作部２１と、操作部２１の回動に伴い受金具４に対して係脱する掛金具２２とを有し、掛金具２２は操作部２１の回動軸２１ａを中心とした略円弧状の係合部２２ｃを有し、係合部２２ｃは内周面が受金具４に対し当接、摺動すると共に、操作部２１を施錠状態まで回動させた状態で受金具４に対し当接する位置に、掛金具２２の回動中心部２２ａに向かう凸状の突部２２ｄを有する。【選択図】図３
2010222942.tif 000002
【特許請求の範囲】
【請求項１】
障子を設けてなるサッシの前記障子に設けられ、受金具に対して係脱し前記障子を施錠状態とするクレセントにおいて、
前記障子の外周面に固定される本体部と、該本体部に対して回動自在に取付けられる操作部と、該操作部の回動に伴い前記受金具に対して係脱する掛金具とを有し、
前記掛金具は前記操作部の回動軸を中心とした略円弧状の係合部を有し、該係合部は内周側面が前記受金具に対し当接、摺動すると共に、前記操作部を施錠状態まで回動させた状態で前記受金具に対し当接する位置に、前記掛金具の回動中心側に向かう凸状の突部を有することを特徴とするクレセント。
【請求項２】
前記突部は前記掛金具に絞り加工により形成されてなることを特徴とする請求項１記載のクレセント。
【請求項３】
前記突部は前記係合部から円弧状に突出してなることを特徴とする請求項１または２記載のクレセント。
【請求項４】
前記突部は前記掛金具の基部に対する根元部から先端部にかけて、前記掛金具の回動中心から離れる方向に向かう傾斜面状に形成されてなることを特徴とする請求項１〜３のいずれか１項に記載のクレセント。
【請求項５】
枠体内に障子を設けてなるサッシにおいて、
見込方向外側位置に受金具が設けられ、前記障子には前記受金具に対して係脱し前記障子を施錠状態とする請求項１〜４のいずれか１項に記載のクレセントを設けてなることを特徴とするサッシ。
【発明の詳細な説明】
【技術分野】
【０００１】
本発明は、引き違いサッシ等の障子を施錠するクレセント及びそれを有するサッシに関し、特に受金具に対して係脱する掛金具によって障子の引き寄せを行うことのできるクレセント及びそれを有するサッシに関する。
【背景技術】
【０００２】
従来、内外障子を引き違い状としてなるサッシが知られている。このようなサッシでは、内障子の召合せ框にクレセントを設け、外障子の召合せ框には受部を設け、クレセントのハンドルを回動させることで、それに連動して円弧状の掛金具が回動し、外障子の受部に係合して障子を施錠することができるようにされている。
【０００３】
クレセントは内外障子を施錠する他、内外障子を引き寄せ、及び引き分ける機能も有している。クレセントを施錠状態とすることで、掛金具は外障子の受金具を内障子側に引き寄せると共に、内外障子を全閉状態の方向にそれぞれ引き分けることができ、これらによって内外障子が完全に閉塞した状態とすることができる。これによって、引き違いサッシの気密性を向上させるようにしている。このようなクレセントを有した引き違い障子のサッシは例えば特許文献１に挙げるようなものがある。
【先行技術文献】
【特許文献】
【０００４】
【特許文献１】特開２００７−１７７４２０号公報
【発明の概要】
【発明が解決しようとする課題】
【０００５】
しかし、従来のクレセントは内外障子の引き寄せ効果が小さく、それぞれの障子固有のがたつきなどによって、クレセントの受金具に対する係合にばらつきの出ることがあった。これにより、内外障子間の気密性の程度にもばらつきが生じることがあった。
【０００６】
本発明は前記課題を鑑みてなされたものであり、障子を確実に引き寄せることができ、障子における気密性を安定的に確保できるクレセント及びそれを有するサッシを提供することを目的とする。
【課題を解決するための手段】
【０００７】
前記課題を解決するため、本発明に係るクレセントは、障子を設けてなるサッシの前記障子に設けられ、受金具に対して係脱し前記障子を施錠状態とするクレセントにおいて、
前記障子の外周面に固定される本体部と、該本体部に対して回動自在に取付けられる操作部と、該操作部の回動に伴い前記受金具に対して係脱する掛金具とを有し、
前記掛金具は前記操作部の回動軸を中心とした略円弧状の係合部を有し、該係合部は内周側面が前記受金具に対し当接、摺動すると共に、前記操作部を施錠状態まで回動させた状態で前記受金具に対し当接する位置に、前記掛金具の回動中心側に向かう凸状の突部を有することを特徴として構成されている。
【０００８】
また、本発明に係るクレセントは、前記突部は前記掛金具に絞り加工により形成されてなることを特徴として構成されている。
【０００９】
さらに、本発明に係るクレセントは、前記突部は前記係合部から円弧状に突出してなることを特徴として構成されている。
【００１０】
さらにまた、本発明に係るクレセントは、前記突部は前記掛金具の基部に対する根元部から先端部にかけて、前記掛金具の回動中心から離れる方向に向かう傾斜面状に形成されてなることを特徴として構成されている。
【００１１】
そして、本発明に係るサッシは、枠体内に障子を設けてなるサッシにおいて、
見込方向外側位置に受金具が設けられ、前記障子には前記受金具に対して係脱し前記障子を施錠状態とする請求項１〜４のいずれか１項に記載のクレセントを設けてなることを特徴として構成されている。
【発明の効果】
【００１２】
本発明に係るクレセントによれば、掛金具は操作部の回動軸を中心とした略円弧状の係合部を有し、係合部は室内側面が前記受金具に対し当接、摺動すると共に、操作部を施錠状態まで回動させた状態で受金具に対し当接する位置に、掛金具の回動中心側に向かう凸状の突部を有することにより、クレセントを施錠状態とした際に、突部が受金具を室内側に押圧し、それによって障子を引き寄せることができ、障子に設けられる気密材が密着する方向に負荷をかけることができる。したがって、障子における気密性を安定的に確保することができる。
【００１３】
また、本発明に係るクレセントによれば、突部は掛金具に絞り加工により形成されてなることにより、突部を掛金具に対し容易に一体形成することができる。
【００１４】
さらに、本発明に係るクレセントによれば、突部は係合部から円弧状に突出してなることにより、掛金具の回動に伴い突部が受金具を円滑に押圧して、スムーズに操作をなすことができる。
【００１５】
さらにまた、本発明に係るクレセントによれば、突部は掛金具の基部に対する根元部から先端部にかけて掛金具の回動中心から離れる方向に向かう傾斜面状に形成されてなることにより、突部が受金具に係合することによって、受金具を内外障子の閉じる方向に押圧することができ、内外障子を引き分けてこれらに設けられる気密材が密着する方向に負荷をかけることができる。したがって、障子間の気密性をより安定的に確保することができる。
【図面の簡単な説明】
【００１６】
【図１】本実施形態におけるクレセントが設けられた引き違いサッシの横断面図であって召合わせ框付近の拡大図である。
【図２】クレセントの正面図である。
【図３】クレセントの側面図である。
【図４】受金具の正面図である。
【図５】クレセントを施錠状態とした引き違いサッシの横断面図であって召合わせ框付近の拡大図である。
【発明を実施するための形態】
【００１７】
本発明の実施形態について図面に沿って詳細に説明する。図１には、本実施形態におけるクレセントが設けられた引き違いサッシの横断面図であって召合わせ框付近の拡大図を示している。この図に示される引き違いサッシは、内障子１と外障子２とを引き違い状に設けてなり、内障子１と外障子２はそれぞれ対向する召合わせ位置に召合わせ框１０、１１を有して構成される。
【００１８】
内障子１の召合わせ框１０と外障子２の召合わせ框１１は、いずれも断面中空状に形成されており、内周面側でガラス体１２を保持している。本実施形態のクレセント３は、内障子１を構成する召合わせ框１０の外周面に設けられ、外障子２を構成する召合わせ框１１の室内側面には、内周側に突出するように受金具４が設けられ、クレセント３が操作されて受金具４に係脱することにより、内障子１と外障子２の施錠状態と解錠状態を切り替えることができる。なお、図１は内障子１と外障子２の解錠状態を表している。
【００１９】
内障子１の召合わせ框１０には、室外側面に略Ｌ字状の煙返し部１０ａが形成されており、外障子２の召合わせ框１１には、室内側面に内障子１の煙返し部１０ａに対応して互い違い状となる煙返し部１１ａが形成されている。これらの煙返し部１０ａ、１１ａは、内障子１と外障子２が閉じた状態において互いに当接しあって気密性を確保する。これらは、内障子１と外障子２が閉じる方向に引き分けられることによって、より気密性を高くすることができる。
【００２０】
また、内障子１の室外側面には気密材１０ｂが設けられて外障子２の召合わせ框１０の室内側面に当接し、外障子２の室内側面には気密材１１ｂが設けられて内障子１の召合わせ框１０の室外側面に当接することによっても、内外障子１、２間の気密性を確保する。これらは、内障子１と外障子２が近づく方向に引き寄せられることによって、より気密性を高くすることができる。
【００２１】
図２にはクレセント３の正面図を、図３にはクレセント３の側面図を、それぞれ示している。これら各図は、クレセント３の施錠状態を表している。これらの図に示すように、クレセント３は上下方向に長い略直方体の箱状に形成されてなる本体部２０に対して、操作部２１が回動自在に設けられ、さらに操作部２１と連動して回動する掛金具２２を有して構成されている。この掛金具２２が受金具４に対して係脱する。また、本体部２０には上下方向にスライド可能な補助ロック２４が設けられている。
【００２２】
本体部２０内には、図示しないが操作部２１及び掛金具２２を回動自在に保持する回動機構や、補助ロック２４による操作部２１のロック機構などが設けられている。この本体部２０内に設けられた回動機構により、操作部２１は回転軸２１ａを中心に回動自在とされ、操作部２１を回動させることで掛金具２２も同時に回動させることができる。
【００２３】
掛金具２２は、本体部２０に対して回動自在な回動中心部２２ａを有する基部２２ｂと、基部２２ｂの周縁部が立ち上がり状とされてなる係合部２２ｃとからなっている。基部２２ｂは、図３に示すように円形の一部を切り欠いたような形状を有しており、その周縁部は円弧状をなしている。この周縁部から立ち上がり状に形成された係合部２２ｃもまた、円弧状を有している。
【００２４】
掛金具２２の円形状は、回動中心部２２ａを中心としており、したがって操作部２１の回動に伴って掛金具２２が回動することにより、係合部２２ｃの円周方向位置が移動することとなる。そして、係合部２２ｃの円周方向位置の移動によって、対向する受金具４に対して係合する。
【００２５】
掛金具２２の係合部２２ｃには、円周方向の略中央位置に、図３の状態において室内側、すなわち掛金具２２の回動中心部２２ａ側に向かって突出する突部２２ｄが形成されている。突部２２ｄは、係合部２２ｃとは反対側を向く円弧状をなすように形成されている。この突部２２ｄは掛金具２２の形成時に絞り加工をなすことによって形成される。
【００２６】
突部２２ｄの形成位置は、掛金具２２を受金具４に係合させた状態における、受金具４に対する係合位置となるように配置されている。この突部２２ｄが係合部２２ｃに形成されていることにより、後述するように受金具４を介して外障子２を内障子１側に引き寄せることができる。
【００２７】
また、突部２２ｄは、掛金具２２の基部２２ｂに対する根元部から先端部にかけて、掛金具２２の回動中心部２２ａから離れる方向に向かう傾斜面状に形成されている。これにより、後述するように受金具４を介して外障子２と内障子１が閉塞する方向に引き分けられるようにすることができる。
【００２８】
図４には、受金具４の正面図を示している。受金具４は、図４で示す右半分は召合わせ框１１に対する固定部４ａとして形成され、左半分はクレセント３の掛金具２２に対する受部４ｂとして形成されている。受部４ｂは方形状で中央部が中空状とされた枠形状に形成されており、左端部にはクレセント３の係合部２２ｃに係合する被係合部４ｃを有している。
【００２９】
図５には、クレセント３を施錠状態とした引き違いサッシの横断面図であって召合わせ框付近の拡大図を示している。図１の状態から操作部２１を回動操作することで、これまで説明したように掛金具２２の係合部２２ｃが、受金具４の被係合部４ｃに対して係合する。受金具４は、被係合部４ｃの部分が室内側に段差状に突出しており、掛金具２２の係合部２２ｃは、内周面が被係合部４ｃの室外側面に当接、摺動しながら係合する。
【００３０】
操作部２１を解錠状態から回動させていくと、掛金具２２の係合部２２ｃは、受金具４の被係合部４ｃの室外側に進入し、内周面が被係合部４ｃの室外側面を摺動する。操作部２１をさらに回動させて掛金具２２を受金具４に対する係合状態、すなわちクレセント３を施錠状態とすると、係合部２２ｃの突部２２ｄが被係合部４ｃの室外側面に対して係合した状態となる。
【００３１】
係合部２２ｃの突部２２ｄは、掛金具２２の回動中心部２２ａ側に向かって凸状となるように形成されているので、クレセント３の施錠状態において室内側に向かって突出することとなる。このため、図５に示すように受金具４の被係合部４ｃを室内側に向かって押圧し、それによって外障子２を内障子１側に引き寄せることができる。
【００３２】
また、前述のように突部２２ｄは、掛金具２２の基部２２ｂに対する根元部から先端部にかけて、掛金具２２の回動中心部２２ａから離れる方向に向かう傾斜面状に形成されているので、図５に示すように受金具４の被係合部４ｃに対して係合した際に、被係合部４ｃを外障子２が閉じる方向に向かって傾斜状に押圧することとなる。これによって、内障子１と外障子２の引き分けをなすことができる。
【００３３】
このように、掛金具２２の係合部２２ｃに突部２２ｄを設け、さらに突部２２ｄを傾斜面状に形成したことにより、内障子１と外障子２を引き寄せ、及び引き分けることができ、室内外方向と開閉方向のいずれにも気密材が密着する方向に負荷をかけることができる。したがって、内外障子１、２間の気密性を安定的に確保することができる。
【００３４】
以上、本発明の実施形態について説明したが、本発明の適用は本実施形態には限られず、その技術的思想の範囲内において様々に適用されうるものである。例えば、本実施形態において突部２２ｄは、係合部２２ｃから円弧状に突出するように形成されているが、その形状は円弧状には限られない。また、突部２２ｄは係合部２２ｃを絞り加工することで一体的に形成されているが、円弧状の係合部２２ｃに対して小片を取付けることによって、突部２２ｄを形成するようにしてもよい。
【００３５】
また、本実施形態においては、受金具４を外障子２に設け、クレセント３を内障子１に設けることとし、いずれの障子も開閉自在となるように構成したが、内障子１のみが開閉する、あるいは外障子２のみが開閉するようにしてもよい。また、内障子１のみを枠体１内に設け、受金具４が設けられる見込方向外側位置には、枠体１内に直接ガラス体１２を納めるようにし、受金具４を枠体１に設けるように構成してもよい。
【符号の説明】
【００３６】
１    内障子
２    外障子
３    クレセント
４    受金具
１０    召合わせ框
１１    召合わせ框
１２    ガラス体
２０    本体部
２１    操作部
２１ａ  回転軸
２２    掛金具
２２ａ  回動中心部
２２ｂ  基部
２２ｃ  係合部
２２ｄ  突部
２３    係合部
２４    補助ロック
【図１】
2010222942.tif 000003
【図２】
2010222942.tif 000004
【図３】
2010222942.tif 000005
【図４】
2010222942.tif 000006
【図５】
2010222942.tif 000007